(57)【要約】    【課題】  電磁式ブロワのメンテナンスの際などに、圧縮空気の送気通路を形成する金属製の下ハウジング部分への接触による火傷に対する安全性が確保できる電磁式ブロワを提供する。    【解決手段】  運転時などに高温となる電磁式ブロワ１における圧縮空気の送気通路を形成するアルミダイカスト等の金属製による下ハウジング２の外面を覆って、合成樹脂製、ゴム製又は木製の保護カバー３を設ける。    【選択図】  図２
2006118484.tif 000002
【特許請求の範囲】
【請求項１】
電磁式ブロワの圧縮空気の送気通路を形成する金属製の下ハウジングの外面を覆って、合成樹脂製、ゴム製又は木製の保護カバーを設けてなる電磁式ブロワ。
【請求項２】
保護カバーに、放熱用の開口部を設けてなる請求項１記載の電磁式ブロワ。
【請求項３】
保護カバーが取り外しできる請求項１又は請求項２記載の電磁式ブロワ。
【発明の詳細な説明】
【技術分野】
【０００１】
本発明は、汚水浄化槽等への送気に用いられる電磁式ブロワに関する。
【背景技術】
【０００２】
浄化槽、養魚又は活魚水槽等への空気の送気用として、電磁石と、振動体に取着された永久磁石との間に発生する吸引力及び反発力により振動体が往復運動して振動体に結合したダイアフラムがポンプ動作する電磁ブロワが知られている。（特許文献１参照）。
上記電磁ブロワのポンプ作動によるポンプから圧送される空気は、電磁ブロワ本体下部に形成されるエアタンクに送られ、吐出口を介して外部の浄化槽等に供給される構造となっている。
【０００３】
また、図３に示すように電磁式ブロワ１の圧縮空気の送気通路となる上記のエアタンクを形成する下ハウジング２を、アルミダイカストなどの金属製により形成することも知られている。（特許文献２参照）。
【特許文献１】特開平９−２６４２５７号公報
【特許文献２】実用新案登録第２５３１８７５号公報
【発明の開示】
【発明が解決しようとする課題】
【０００４】
上記で述べた電磁ブロワにおいては、電磁部の発熱の他、空気を圧縮し送気する構造から、圧縮された空気が高温となり、ブロワ本体、特に送気通路を形成する図３に示す下ハウジング２部分は高温となる。
この温度は電磁式ブロワ１の仕様などによって差異はあるが、通常、下ハウジング２は吸気される外気温度に対して２０℃〜５０℃の温度上昇が見られ、夏場など外気温が３０℃超えるような条件下においては、下ハウジング２の温度は７０℃〜８０℃にもなる。
一方、汚水浄化槽等への送気に使用される電磁ブロワの下ハウジング２は、前述のように一般的にアルミダイカストなどの熱伝達率の高い金属により構成されているため、電磁ブロワのメンテナンスの際などに下ハウジング２に触れると、火傷をする心配がある。
【０００５】
本発明は、メンテナンスの際などの火傷に対する安全性が確保できる電磁式ブロワを提供するものである。
【課題を解決するための手段】
【０００６】
本発明は、次のものに関する。
（１）電磁式ブロワの圧縮空気の送気通路を形成する金属製の下ハウジングの外面を覆って、合成樹脂製、ゴム製又は木製の保護カバーを設けてなる電磁式ブロワ。
（２）保護カバーに、放熱用の開口部を設けてなる上記（１）記載の電磁式ブロワ。
（３）保護カバーが取り外しできる上記（１）又は（２）記載の電磁式ブロワ。
（作用）
【０００７】
電磁式ブロワの運転時などに高温となる金属製の下ハウジングの外面を覆って設けられる合成樹脂製、ゴム製又は木製の保護カバーにより、メンテナンスなどの際に高温の下ハウジンクに直接触れる心配がなくなる。
【発明の効果】
【０００８】
本発明の電磁式ブロワによれば、電磁式ブロワ運転時などに高温となる金属製の下ハウジングの外面を覆って設けられる合成樹脂製、ゴム製又は木製の保護カバーによって、電磁式ブロワのメンテナンス時などに下ハウジングに直接触れることがなく火傷を防止することができて、安全性が確保できる。
【発明を実施するための最良の形態】
【０００９】
保護カバーを合成樹脂製とする場合、その材質としては熱伝導率の低いＦＲＰ（繊維強化プラスチックス）、ＰＶＣ（ポリ塩化ビニル）、ＰＰ（ポリプロピレン）、ＰＥ（ポリエチレン）、ＡＢＳ（アクリロニトリル−ブタジエン−スチレン）、ＤＣＰＤ（ジシクロペンタジエン）等の樹脂が好ましく用いられるが、樹脂製に限らずゴム製又は木製の保護カバーとしてもよい。
【００１０】
下ハウジングの外面を覆う保護カバーの大きさは、メンテナンス時などに電磁式ブロワの下ハウジング部分に直接触れることがないように、下ハウジングと同程度の大きさとし、保護カバーの電磁式ブロワへの取り付けは、下ハウジングへのネジ止め、両面テープ止め、適宜形状の引っ掛り部を設けての嵌め込み等、種々の取付け法が採られる。
【００１１】
また、保護カバーには、下ハウジングの熱を外部に放熱できるように、人の指が入らない程度の大きさとした放熱用の開口部を複数個設けるようにするのが好ましい。
【００１２】
さらに、電磁式ブロワ運転時の振動による下ハウジングと保護カバーとの接触による騒音の発生などを抑止するために、保護カバー固定部と下ハウジングとの接触部分にゴムパッキンなどを用いるようにするのが好ましい。
【実施例】
【００１３】
以下、図１乃至図２を参照しながら本発明による電磁式ブロワの実施例を具体的に説明する。
図１は本発明による電磁式ブロワにおける保護カバーの斜視図、図２は図１に示す保護カバーを取付けた電磁式ブロワの斜視図である。
図２において、保護カバー３を設ける電磁式ブロワ１は、実施例では小規模事業所用の浄化槽に用いる風量２００Ｌ／分の電磁式ブロワで、電磁式ブロワ１の圧縮空気の送気通路となるエアタンク部分を形成する下ハウジング２はアルミダイカスト製のものを使用した。
【００１４】
電磁式ブロワ１の下ハウジング２の外面を覆う保護カバー３は、３００ｍｍ＊２００ｍｍ＊３０ｍｍ（深さ寸法）の大きさの寸法で、３〜５ｍｍの肉厚で、ＡＢＳ（アクリロニトリル−ブタジエン−スチレン）樹脂の射出成形によりケース状に成形した。
【００１５】
図１に示すように、保護カバー３の底面には、図２に示す電磁式ブロワ１の下面に装着された４個のゴム脚５を通すための脚挿通穴３ｂを４箇所と、保護カバー３を電磁式ブロワ１の下ハウジング２に固定するネジ４を通すためのネジ挿通穴３ｃを４箇所に設けた。
さらに、保護カバー３の底面及び側面には、下ハウジング２の熱を放熱できるように、また、人の指が入ることがないように、１２０ｍｍ（長さ方向の寸法）＊３．５ｍｍ（高さ方向の寸法）の寸法で開口した放熱用の開口部３ａを多数設ける構成とした。
【００１６】
次に、保護カバー３の電磁式ブロワ１の下ハウジング２への取り付けは、図２に示すように保護カバー３の底面に設けた前述の脚挿通穴３ｂに電磁式ブロワ１下面に装着されたゴム脚５を挿通してセットし、ネジ挿通穴３ｃにネジ４を挿通して下ハウジング２の底部に予め加工されたネジ穴にネジ４を締め付けて固定した。
【００１７】
なお、保護カバー３を設けた電磁式ブロワ１の運転時の振動により、保護カバー３と下ハウジング２との微細な接触等により騒音が発生する場合には、保護カバー３の固定部及び又は下ハウジング２との接触部にゴムパッキンなどを用いることで、騒音の発生を抑止する。
【００１８】
上述した実施例のように、電磁式ブロワ１の下ハウジング２の外面を覆って保護カバー３を設けることにより、３２℃の雰囲気にて電磁式ブロワ１を運転した場合に、下ハウジング２の表面温度は７５℃であったが、実際に人の手が触れる保護カバー３の表面の温度は４７℃であり、メンテナンス時などにおける下ハウジングへの接触による火傷を防止することができて、安全性が確保できた。
【図面の簡単な説明】
【００１９】
【図１】本発明の電磁式ブロワにおける保護カバーの斜視図である。
【図２】図１に示す保護カバーを取付けた状態の電磁式ブロワの斜視図である。
【図３】電磁式ブロワの概要を示す説明斜視図である。
【符号の説明】
【００２０】
１  電磁式ブロワ                      ２  下ハウジング
３  保護カバー                      ３ａ  放熱用の開口部
３ｂ  脚挿通穴                        ３ｃ  ネジ挿通穴
４  ネジ                              ５  ゴム脚
【図１】
2006118484.tif 000003
【図２】
2006118484.tif 000004
【図３】
2006118484.tif 000005